(57)【要約】      （修正有）【課題】補聴器のような本体器具表面にある凹み、穴、隙間などに付着したたとえば耳垢などの塵埃を吸引して掃除する吸引式掃除具において、交換する必要がある濾過材の頻繁な濾過材の更新を促し、維持費がほとんど不要で、濾過器に滞積した塵埃の廃棄ならびに濾過材自体を容易な廃棄交換でき、濾過材収納容部の洗浄も容易にして清潔であり、普通水を濾過材と湿式濾過器とし、濾過器が捕捉した塵埃粉末やそこに発生するカビや雑菌を掃除具の排気で拡散することがない経済的で、衛生的な吸引式掃除具を提供する。【解決手段】塵埃吸入部２０から真空吸引排気部により塵埃と共に吸引した空気を濾過材とした水中に放出して塵埃を水に補足させ、濾過後の空気は跳ね水阻止してポンプで吸引し排気することで、濾過材の容易で頻繁な交換ならびに濾過材収容容器の洗浄も容易に可能にし極めて維持コストガ低く経済的で清潔で衛生的な吸引式掃除具。【選択図】図１
2020168431.tif 000002
【特許請求の範囲】
【請求項１】
掃除対象物である器具表面に付着した塵埃を吸塵埃吸入口から吸引真空ポンプにより吸引する吸引式掃除具において、
チューブの一端に設けた塵埃吸入部からこのチューブの他端に設けた真空吸引排気部の吸引力により塵埃を空気と共に吸引し、チューブの中ほどを切断してチューブの切断端の各々を、濾過材の水と共に空気とを封入した蓋部と本体部とが着脱可能な濾過器タンク部に、当該濾過器タンク部の蓋部の外側から中側に気密に貫通させて連結し、塵埃吸入部側の貫通した切断端またはこれに接続した延長管を濾過材の水中に至らせると共に、前記濾過器タンク部内の空間に跳ね水反射板を設け、塵埃と共に吸入した空気を濾過材中に吸引放出させることで塵埃を濾過材に捕捉させると共に濾過材である水と共に在る濾過器内の空間で濾過材の水から空気が吸引される際に生じる水泡によるはね水を前記跳ね水反射板により濾過器タンク内に還流させ、跳ね水が真空吸引排気部のポンプに吸引されるのを防ぐことを特長とした水を濾過材とした湿式吸引掃除具。
【請求項２】
更に、前記塵埃吸入部は、尖鋭な針先部分を除去した注射針状の吸引細管であり、且つ、前記濾過材に普通水を用いて、濾過材またはこれを含む部品を掃除具の専用消耗部品として購入する必要が無く濾過材の頻繁な交換を可能にして清潔性を維持できることを特徴とする請求項１に記載の水を濾過材とした湿式吸引掃除具。
【請求項３】
更に、前記真空吸引排気部が一定時間後に自動的に動作を終了するように制御する制御手段を有すると共に、濾過材に水を用いて湿式としたことで、塵埃の乾燥粉末や塵埃に発生するカビや雑菌の吸引排気による拡散が無く使用環境を衛生的に保つことが可能なことを特徴とする請求項１又は２に記載の水を濾過材とした湿式吸引掃除具。
【発明の詳細な説明】
【技術分野】
【０００１】
本発明は、塵埃とともに吸引した空気の濾過を入手容易な水で行う湿式吸引掃除具に関するものである。
【背景技術】
【０００２】
例えば、器具本体表面にマイクロフォンやスピーカ穴、電池ケースや押しボタン周囲の隙間など凹みがある補聴器は、使用者の聴力症状に合わせて音響特性を調整されるものだが、高価であって数年といわれる耐用年数の長短には汚れや湿気が影響しているとされ、日常の保守の重要性が説かれていて使用者は耐用年数の延長に多大な興味がある。
【０００３】
また、耳垢などの塵埃による補聴器の音口の閉塞や部分的塞状態、ならびに補聴器内部への塵埃の進入滞積は、補聴器の音響特性を大きく劣化させ、使用者毎の聴力特性に合わせてさまざまな要素を個々に微細に調整した補聴器の使用者毎に調整された音響適合性を根本的に損なう。
【０００４】
付着した耳垢のような汚れによる音響特性の変化や使用者に対する音響適合性の損失を防止し、汚れによる電子部品、電気部品の劣化防止による耐用年数延長化の為に奨励される補聴器使用者による、毎日の就寝前などの小まめな補聴器の掃除で汚れを除去する方法
には、拭取、掃払、吹払、吸引などの方法があるが、汚れを内部に押し込んだり送り込まない除去方法が好ましく、特に補聴器に対しては吸引式が好ましい。
更にまた、
【０００５】
微細な高度の個人別の調整を施された補聴器を良好な性能で使用するためには単なる日常保守以上補聴器使用者が音口の耳垢などの塵埃による閉塞や半閉塞を避けることに注意を向けるべきで、メガネの使用者がメガネが曇ればその都度曇りをぬぐうように、補聴器使用者自体が補聴器の吸引掃除に積極性を持つべきであり、経済的で使い易い吸引式の掃除具の提供が望まれている。
【０００６】
既に塵埃吸入部に網状濾過部材や綿状繊維などを耳垢などの塵埃の濾過材として組み込み、小型電動式真空ポンプによる吸引式掃除具が補聴器使用者向けに販売されているが、これらの大半は有償の専用消耗予備品の濾過材の交換を必要とし普及しにくい状況にあり、掃除具内に滞積した耳垢などの塵埃にカビや雑菌などが繁殖し易く清潔性に欠け、更に、微細な耳垢などの塵埃やカビ、雑菌などが真空ポンプの排気含まれて空中に拡散されていて大層不衛生である。
【先行技術文献】
【非特許文献】
【０００７】
【非特許文献１】ＰＤＦカタログ：  ＪＯＤＩバキュームクリーナ＜ＵＲＬ：  http://www.jodivac.com/jodi-consumer_product_details.html ＞
【発明の概要】
【発明が解決しようとする課題】
【０００８】
例えば補聴器使用者が普通に入手して使用可能であり、掃除対象物である補聴器のような本体器具表面にある凹み、穴、隙間などに付着したたとえば耳垢などの塵埃は掃除対象物の内部に押し込んだり送り込んだりされず除去できることが好ましく掃除具として吸引式が好ましい。すでに吸引式掃除具は、小型電動真空ポンプを用いて細目網状や綿状繊維による濾過器を組合わせたものが販売されているが、
（１）空気と共に塵埃吸入部から吸引した塵埃を濾過する濾過器は、掃除具の専用交換予備消耗品の形態で有償で販売されていて、これを度々購入して交換するのは非経済的なものであり、
（２）その使用者は有償の専用交換予備消耗品の交換頻度を下げたい願望から濾過器が機能する間はこれを交換せずに使い続けようとするため耳垢などの塵埃が濾過器内に長期間滞積したままでおかれ目視的にも清潔でない上に雑菌やカビなどが滞積した塵埃に繁殖して不清潔であり、
（３）吸引して吸引式掃除具の濾過器内に滞積した耳垢や繁殖したカビや雑菌は吸引式掃除具使用時に微細な粉塵状態を呈し吸引ポンプの排気と共に空中に撒き散らされるが、目視に訴えないため注意喚起されない反面、例えば掃除対象物が補聴器の場合、使用者が高齢者である割合が高いことを考慮すると、対感染症対策面などの衛星面から見てもきわめて好ましくなく不衛生であった。
【０００９】
本発明は上記事情に鑑み、
例えば掃除対象物である補聴器のような本体器具表面にある凹み、穴、隙間などに付着したたとえば耳垢などの塵埃を吸引して掃除する吸引式掃除具において、
（１）度々交換する必要がある濾過材が専用交換予備消耗品ではなく有償購入が不要なことにより濾過材を頻繁に更新することが容易で維持費が極めて低く経済的であり、
（２）濾過器に滞積した例えば耳垢のような塵埃の廃棄ならびに濾過材自体をも容易に廃棄交換でき濾過材の収納容器の洗浄も簡単で容易に行え清潔であり、
（３）濾過材を液体にしたことで濾過器が湿式になり、濾過器が捕捉し濾過器に滞留した
耳垢などの塵埃やカビや雑菌が掃除具の使用時に排気で拡散することがなく衛生的な吸引式掃除具を提供し普及させることを課題とした。
【課題を解決するための手段】
【００１０】
上記目的を達成するための本発明の水を濾過材とした湿式吸引掃除具は、
たとえば補聴器のような掃除対象物である本体器具の表面にある凹み、穴、隙間などに付着したたとえば耳垢などの塵埃を本体器具内部に押し込んだり送り込まない除去方法による吸引式掃除具を塵埃吸入部と、真空吸引排気部と、これらを連結する柔軟な管、例えばシリコンチューブなどを用いて吸排気管とし、この吸排気管の中ほどに塵埃を濾過する濾過器とを設けて構成した。塵埃吸入部は、一端を前記の吸排気管に接続し他端には尖鋭な先端部分を切除した注射針状の吸引細管を装着してピンポイントで汚れを吸引除去可能としてもよく、真空吸引排気部は例えば小型の電動真空ポンプの吸気口に前記の塵埃吸気部を接続した柔軟なチューブの他端を接続してもよく、
【００１１】
（１）塵埃吸入部の吸入口から塵埃を空気と共に吸引して柔軟なチューブを用いた吸排気管を連結した濾過器で塵埃を濾過して真空吸引排気部に導いて真空吸引排気部の排気口から空気のみを排気し、
（２）塵埃吸入部と真空吸引排気部を接続するチューブの中ほどに水密構造のタンクを１つ以上設けて濾過器とし、
（３）タンクには水道水など入手ならびに廃棄や交換が容易できわめて安価な水道水や井戸水などを適量濾過材として入れ、このタンクの上部から挿し挿し込まれた吸入部側の吸排気管またはこの排気管に接続された延長管の先端をタンクの底近くの水中に伸ばすことで吸引した塵埃を含む吸気を水中に放出させ塵埃を濾過材の水に接触させてこれに水中に捕捉滞留させ、
（４）塵埃が濾過された空気を真空吸引排気部で吸引し濾過時に生じる水泡が作る跳ね水を真空吸引排気部である真空ポンプに吸入させないために濾過後の空気をいったん空気溜による跳ね水阻止空間に導いて跳ね水をここに留めて吸排気管から除き、
（５）濾過材とした水ならびに空気を入れたタンクの一部をタンクの他の部分に対し着脱できる構造として濾過材である水の補給、廃棄、交換ならびに溜め置いた跳ね水の廃棄、更にはタンクの容易な洗浄を可能にして実現した。
ここで、濾過材の水を入れるタンクと跳ね水を吸排気管から除く空間は、
【００１２】
１つのタンク内に境界の有無に関係なく構成しても良く、或いは夫々を独立させて２つ以上のタンクに分離しても良く、夫々を複数にしてもよく、
【００１３】
例えばタンクを透明性がある樹脂製とすることで水量ならびに水泡をタンク外より可視化にして濾過材の量や掃除具の動作ならびに吸気の吸入状態の確認を容易にしてもよく、
【００１４】
タンクを部分的に着脱可能な蓋部と本体部からなる構造として相互をネジ付または密接挿抜縁付きの気密状に勘合させ勘合部から空気の出入りを防ぐ構造にするとともにタンクの一部分である例えば本体部を他部分から引き外して水の補給、廃棄、交換ならびにタンクの洗浄が容易に行えるようにしてもよい。
【発明の効果】
【００１５】
本発明によれば、例えば補聴器のような掃除対象物である本体器具の表面の凹み、穴、隙間などに付着した耳垢などの塵埃が掃除対象物の内部に押し込んだり送り込んだりすることなく除去できる吸引式掃除具において、
（１）度々交換する必要がある濾過材はまたは濾過材を含んだ部分品の有償購入が不要で経済的であり濾過材を頻繁に更新することが容易になり、
（２）濾過器に滞積した例えば耳垢のような塵埃の廃棄ならびに濾過材自体をも容易に廃
棄交換でき濾過器の収納容器の洗浄も容易で清潔になり、
（３）濾過材に液体を用いたことで、濾過器が湿式であり、濾過材が捕捉し濾過材に滞積した耳垢や雑菌やカビなどが掃除具の使用時に空中に排出拡散されず衛生的で好ましくできる効果がある。
更に、
【００１６】
（４）小型電動式の真空ポンプは繊細で精密な弁機構が用いられているが、水を濾過材として用いた湿式濾過器の採用で、耳垢などの塵埃による粉塵やカビが真空ポンプ内に吸引され難く、同様に濾過材の跳ね水を跳ね水阻止用空間で留め置き跳ね水が真空吸引排気部へ送られるのを阻止して濾過材の水が真空ポンプに吸引され難くして、真空ポンプの劣化を防止抑制でき吸引掃除具を良好な状態で長期間使用できる効果がある。
【図面の簡単な説明】
【００１７】
【図１】本発明の吸引式掃除具の実施例１における外観斜視図である。
【図２】本発明の吸引式掃除具の実施例１における筐体内部の斜視図である。
【図３】（Ａ）本発明の吸引式掃除具の実施例１における原理を示す斜視図である。            （Ｂ）本発明の吸引式掃除具の実施例１における湿式濾過器の原理を示す断面図である。
【図４】本発明の吸引式掃除具の実施例２における外観斜視図である。
【図５】（Ａ）本発明の吸引式掃除具の実施例２における原理を示す斜視図である。            （Ｂ）本発明の吸引式掃除具の実施例２における湿式濾過器の原理を示す断面図である。
【図６】本発明の吸引式掃除具の実施例３における外観斜視図である。
【図７】（Ａ）本発明の吸引式掃除具の実施例３における原理を示す斜視図である。            （Ｂ）本発明の吸引式掃除具の実施例３における湿式濾過器の原理を示す断面図である。
【発明を実施するための形態】
【００１８】
本発明の水を濾過材とした湿式吸引掃除具は、例えば補聴器のような本体器具の表面の凹みや穴、或いは隙間に付着した耳垢のような塵埃の汚れを除去する吸引式掃除具において実現されたものである。
【実施例１】
【００１９】
図１と図２と図３を参照して、水を濾過材とした湿式吸引掃除具の濾過器に２個のタンクを用いた本発明の実施例１を説明する。
【００２０】
図１は本発明の水を濾過材とした湿式吸引掃除具の実施例１を示す外観斜視図であり、図２は水を濾過材とした湿式吸引掃除具の実施例１の筐体内部の様子を示す外観斜視図であり、図３は、（Ａ）に水を濾過材とした湿式吸引掃除具の実施例１の原理を示す斜視図を、また（Ｂ）にその濾過器の原理を示す断面図を示している。
【００２１】
水を濾過材とした湿式吸引掃除具１０は、その両端に塵埃吸入部２０と真空吸引排気部３０を連結し中ほどに濾過器部５０を連結した吸排気管部４０とで構成する。
【００２２】
塵埃吸入部は一端に、尖鋭な針先部分を除去した注射針状の吸引細管２１を掃除対象物の表面に付着した塵埃をピンポイントで塵埃を含んだ空気と共に吸引するために装着して他端を吸排気管部４０の一端に連結して構成した。
【００２３】
真空吸引排気部３０は小型の電動式真空ポンプを用い、このポンプの吸気口３１を前述の排気管４０の他端に連結し、真空吸引排気部３０の排気口３２は清浄な空気を排出す
るので筐体９０内で開放状態のままとした。
【００２４】
濾過器タンク部５０は、本体部５１Ａと蓋部５１Ｂとに分離結合できる濾過材タンク５１と，本体部５２Ａと蓋部５２Ｂに分離結合できる跳ね水阻止タンク５２を吸排気管４０の中ほどの小部分を切り出した中継吸排気管４０Ｃで連結して構成し、その一端を塵埃吸入部２０に連結した吸排気管の小部分４０Ａの他端を濾過材タンク５１の蓋部５１Ｂに外側から内側に貫通させて、一端をを濾過材タンク５１の底５１Ｂ近くで開放状態にした注入延長管４１の他端を前述の貫通した吸排気管４０Ａに連結した。
なおここで、
【００２５】
濾過材タンクの蓋部５１Ｂと、跳ね水タンクの蓋部５２Ｂとは共に、夫々のタンクの本体部５１Ａならびに５２Ａを本発明の掃除具１０の使用者が容易に着脱ができる様に筐体９０の一部を張り出して庇部９１を設け、庇の下面に接着固定し、例えば前記濾過材タンクの本体部５１Ａと蓋部５１Ｂならびに跳ね水阻止部の本体部５２Ａと蓋部５２Ｂは夫々をネジ式或いは密着勘合式とし、着脱と共に勘合が容易にできるよう相互間をネジ式として筐体９０の外部に着脱容易に設けた。
また、
【００２６】
濾過材タンク５１と跳ね水阻止タンク５２は、外部からタンクの中の様子が容易に目視確認できることが好ましく、本実施例においては清潔感も得られる透明な樹脂製のタンクを用いた。
【００２７】
塵埃吸入部２０と濾過材タンク５１と跳ね水阻止タンク５２と真空吸引排気部３０は一連の吸排気管４０Ａ，４０Ｃ，４０Ｅで直列に連結され、真空吸引排気部３０が吸引する空気は塵埃吸入部２０の塵埃吸入細管２１から塵埃と共に吸引された空気そのものであるよう、気密に結合した。
【００２８】
図面には描かれていないが、ＡＣアダプタ１００を電源装置とし、この出力コードに接続した例えばＤＣプラグを電力出力接栓として、例えば筐体９０の背面部分にＤＣジャックを受電用の接栓８３として設け、接栓８３と制御基板部を接続配線で接続して電力を制御基板部８０に供給した。
【００２９】
真空吸引排気部３０は筐体９０内に共に実装される制御基板部８０から与えられる電力で動作し、制御基板部８０は例えば筐体９０の前面位置に設けられた制御スイッチ８２から掃除具の使用者が操作する毎に真空吸引排気部３０に与える電力の電圧や継続時間を設定できるようにした。また、吸引掃除具の使用者は吸引掃除中で補聴器を非装用の場合、掃除具の作動音が聞こえないために吸引掃除具の電源を切り忘れるので真空吸引排気部３０が一定時間後に自動的に動作を終了するよう制御基板機能に次元機能を持たせた。
【００３０】
本発明の水を濾過材とした湿式吸引掃除具１０の塵埃濾過原理は図３（Ｂ）に示す通り、吸引した塵埃を含む空気は矢印Ａの如く濾過材タンク５１の延長管４１から濾過材の水６０Ａに放出され、水６０Ａ内を水疱になって水６０Ａに動的に接触しながら水面に浮上し、この過程で塵埃を水６０Ａに捕捉されて濾過器タンク５１内の水６０Ａの上方の空間６０Ｂに空気のみが吸い上げられ中継吸排気管４０Ｃを介して跳ね水阻止タンク部５２に至る。この際に水泡が跳ね水を発生させる可能性があるが大半は濾過材タンク５１内に落下するが、一部は中継排気管を通り跳ね水阻止タンクに吸い込まれる、跳ね水タンク部５１内では矢印Ｆの如く跳ね水阻止タンク５２の底部に落ち、跳ね水が除かれた空気のみが吸排気管４０Ｅを経て真空吸引排気部３０に至る。
ここで、
【００３１】
本発明の水を濾過材とした湿式吸引掃除具１０を使用するには、ＡＣアダプタの出力接栓を接栓８３に接続し、ＡＣアダプタを商用電源コンセントに差し込み、次に濾過材タンク５１の着脱可能部分５１Ａを湿式吸引掃除具１０から一旦外し、水道水または井戸水のような所謂飲料水として用いるような一般水を着脱可能部分５１Ａに概ね半分ほど入れ、濾過材タンク部５１の非着脱可能部５１Ｂに気密性が損なわれない程度にねじ込んで装着し、前述の注入延長管４１の開放端が水中に充分浸る位置になるようにした後に制御スイッチ８２を操作して真空吸引排気部３０を稼動状態とし、塵埃吸入部２０に装着された塵埃吸入細管３１の先端を塵埃吸引対象物の目標とする汚れ部分に接近させ、塵埃を吸入すればよい。
また、吸引掃除後に濾過材タンク部５１内の水６０Ａには塵埃が捕捉され水６０は汚れているので、その都度、または必要に応じて濾過材タンク部の着脱可能部部５１Ａを非着脱可能部５１Ｂから外して内部の塵埃が混ざった水６１Ａを洗面所などに捨て清潔で新しい水に交換すればよく、同時に跳ね水阻止タンクに滞積した跳ね水６０Ｂもその都度または必要に応じて跳ね水濾過材タンクの着脱可能部部５２Ａを非着脱可能部５１Ｂから外して滞積した跳ね水６０Ｂを洗面所などに捨てればよい。
【実施例２】
【００３２】
図３と図４を参照して、水を濾過材とした湿式吸引掃除具の濾過器を１個のタンクで構成した本発明の実施例２を説明する。
【００３３】
図３は本発明の水を濾過材とした湿式吸引掃除具の実施例２を示す外観斜視図であり、図４は、（Ａ）に水を濾過材とした湿式吸引掃除具の実施例２の原理を示す斜視図を、また（Ｂ）にその濾過器の原理を示す断面図を示している。
水を濾過材とした湿式吸引掃除具１０は、その両端に塵埃吸入部２０と真空吸引排気部３０を連結し、中ほどに濾過器部５０を連結した吸排気管部４０とで構成した。
【００３４】
塵埃吸入部２０は一端に、尖鋭な針先部分を除去した注射針状の塵埃吸入細管２１を掃除対象物の表面に付着した塵埃をピンポイントで塵埃を含んだ空気と共に吸入するために装着して他端を吸排気管部４０の一端に連結して構成した。
真空吸引排気部３０は小型の電動式真空ポンプを用いこのポンプの吸気口３１を前述排気管４０の他端に連結し、真空吸引排気部３０の排気口３２は清浄な空気を排出するので筐体９０内で開放状態のままとした。
【００３５】
濾過器タンク部５０は、本体部５０Ａと蓋部５０Ｂとに分離結合でき、濾過器タンク部５０は内部に濾過材部５１と跳ね水阻止部５２を備えているが、その双方は仕切りなどで明確に区別されず濾過材である水６０Ａが占める部分以外の空間を跳ね水阻止部とした１つのタンクで構成し、その一端を塵埃吸入部２０に連結した吸排気管の小部分４０Ａの他端を濾過器タンク５０の蓋５０Ｂに外側から内側に貫通させて、一端をを濾過器タンク５０の底５０Ｂ近くで開放状態にした注入延長管４１の他端を前述の貫通した吸排気管４０Ａに連結した。
なおここで、
【００３６】
濾過器タンクの蓋部５０Ｂは、共に、タンクの本体部５０Ａを本発明の掃除具１０の使用者が容易に着脱ができる様に筐体９０の一部を張り出して庇部９１を設け、庇の下面に接着固定し、例えば前記濾過器タンクの本体部５０Ａと蓋部５０Ｂは夫々をネジ付或いは密着勘縁付とし、着脱と共に勘合が容易にできるようにし、本実施例ではネジ式として筐体９０の外部に着脱容易に設けた。
また、
【００３７】
濾過器タンク５０は、外部からタンクの中の様子が容易に目視確認できることが好まし
く、本実施例においては清潔感も得られる透明な樹脂製のタンクを用いた。
【００３８】
塵埃吸入部２０と濾過器タンク５０と真空吸引排気部３０は一連の吸排気管４０Ａ，４０Ｅで直列に連結され、真空吸引排気部３０が吸引する空気は塵埃吸入部２０の塵埃吸入細管２１から塵埃と共に吸引された空気そのものであるよう、気密に結合した。
【００３９】
図面には描かれていないが、ＡＣアダプタ１００を電源装置とし、この出力コードに接続した例えばＤＣプラグを電力出力接栓として、例えば筐体９０の背面部分にＤＣジャックを受電用の接栓８３として設け、接栓８３と制御基板部を接続配線で接続して電力を制御基板８０に供給した。
【００４０】
真空吸引排気部３０は筐体９０内に共に実装される制御基板部８０から与えられる電力で動作し、制御基板８０は例えば筐体９０の前面位置に設けられた制御スイッチ８２から掃除具の使用者が操作する毎に真空吸引排気部３０に与える電力の電圧や継続時間を設定できるようにした。また、吸引掃除具の使用者は吸引掃除中で補聴器を非装用の場合、掃除具の作動音が聞こえないために吸引掃除具の電源を切り忘れるので真空吸引排気部３０が一定時間後に自動的に動作を終了するよう制御基板機能に次元機能を持たせた。
【００４１】
本発明の水を濾過材とした湿式吸引掃除具１０の塵埃濾過原理は図５（Ｂ）に示す通り、吸引した塵埃を含む空気は矢印Ａの如く濾過器タンク部５０の延長管４１から濾過材の水６０Ａに放出され、水６０Ａ内を水疱になって水６０Ａに動的に接触しながら水面に浮上し、この過程で塵埃を水６０Ａに捕捉されて濾過器タンク部５０内の水６０Ａの上方の空間６０Ｂに吸い上げらる。この際に水泡が跳ね水を発生させ、吸排気管４０Ｅを介して真空吸引排気部３０に至る可能性があるが、濾過器タンク部５０内の水６０Ａの水位を相対的に低くして跳ね水が吸排気管４０Ｅに届きにくくして、跳ね水を図５（Ｂ）に示す矢印Ｆの如く水６０Ａに戻した。
【００４２】
ここで、  本発明の水を濾過材とした湿式吸引掃除具１０を使用するには、ＡＣアダプタの出力接栓を接栓８３に接続し、ＡＣアダプタを商用電源コンセントに差し込み、次に濾過材器タンク５０の着脱可能部分５０Ａを湿式吸引掃除具１０から一旦外し、水道水または井戸水のような所謂飲料水として用いるような一般水を着脱可能部分５０Ａに概ね３分の１ほど入れ、濾過器タンク部５１の非着脱可能部５０Ｂに機密性が損なわれない程度にねじ込んで装着し、前述の注入延長管４１の開放端が水中に充分浸る位置になるようにした後に制御スイッチ８２を操作して真空吸引排気部３０を稼動状態とし、塵埃吸入部２０に装着された吸引細管３１の先端を塵埃吸引対象物の目標とする汚れ部分に接近させ、塵埃を吸入すればよい。
また、吸引掃除後に濾過器タンク５０内の水６０Ａには塵埃が捕捉され水６０は汚れているので、その都度、または必要に応じて濾過器タンク部の着脱可能部部５１Ａを非着脱可能部５１Ｂから外して内部の塵埃が混ざった水６１Ａを洗面所などに捨て清潔で新しい水に交換すればよい。
【実施例３】
【００４３】
図６と図７を参照して、水を濾過材とした湿式吸引掃除具１０の濾過器タンク５０内に跳ね水反射板を設けた１個のタンクで構成した本発明の実施例３を説明する。実施例２と実施例３の違いはこの跳ね水反射板７０が濾過器タンク５０内の空間６０Ｂにあるか否かであって、本実施例は跳ね水反射板７０を備えている。
【００４４】
図６は本発明の水を濾過材とした湿式吸引掃除具１０の実施例３を示す外観斜視図であり、図7は、（Ａ）に水を濾過材とし跳ね水反射板７０を濾過器タンク５０内の空間６０Ｂ内に備えた湿式吸引掃除具１０の実施例３の原理を示す斜視図を、また（Ｂ）に跳ね水
反射板７０が濾過器タンク５０内の空間６０Ｂに備えられた濾過器の原理を示す断面図をを示している。
【００４５】
水を濾過材とした湿式吸引掃除具１０は、その両端に塵埃吸入部２０と真空吸引排気部３０を連結し、中ほどに濾過器部５０を連結し吸給排気管部４０とで構成した。
【００４６】
塵埃吸入部２０は一端に、尖鋭な針先部分を除去した注射針状の塵埃吸入細管２１を掃除対象物の表面に付着した塵埃をピンポイントで塵埃を含んだ空気と共に吸入するために装着して他端を吸排気管部４０の一端に連結して構成した。
【００４７】
真空吸引排気部３０は小型の電動式真空ポンプを用いこのポンプの吸気口３１を前述排気管４０の他端に連結し、真空吸引排気部３０の排気口３２は清浄な空気を排出するので筐体９０内で開放状態のままとした。
【００４８】
濾過器タンク部５０は、本体部５０Ａと蓋部５０Ｂとに分離結合でき、濾過器タンク部５０は内部に濾過材５１と跳ね水阻止部５２を備えているが、その双方は仕切りなどで明確に区別されないが、跳ね水阻止部５２の空間に跳ね水反射板７０を備えた１つのタンクで構成し、その一端を塵埃吸入部２０に連結した吸排気管の小部分４０Ａの他端を濾過材タンク５０の蓋５０Ｂに外側から内側に貫通させて、一端をを濾過材タンク５０の底５０Ｂ近くで開放状態にした注入延長管４１の他端を前述の貫通した吸排気管４０Ａに連結した。注入延長管４１の開放端から濾過材である水６０Ａに放出された空気により生じる跳ね水が真空吸引排気部３０に吸引され難くし、図７（Ｂ）に矢印Ｆで示される如く、吸入された空気の経路が矢印Ａ，Ｂ，Ｃ，Ｄ，Ｅの経路をたどるのと異なり跳ね水は矢印Ｆで濾過材部にする還流する。跳ね水反射板は濾過器タンク５０の内径より小さな直径の板材製として注入延長管４１に装着し。跳ね水阻止板と濾過器タンク５０の間を空気が図７の矢印Ｆの如く通れる仕組みとしたが、跳ね水反射板７０を通気孔を備えた板材で用意し、濾過器タンク５０の内径と同寸法の直径で用意しても良い。
【００４９】
濾過器タンクの蓋部５０Ｂは、タンクの本体部５０Ａを本発明の掃除具１０の使用者が容易に着脱ができる様に筐体９０の一部を張り出して庇部９１を設け、庇の下面に接着固定し、例えば前記濾過器タンクの本体部５０Ａと蓋部５０Ｂは夫々をネジ式或いは密着勘合式とし、着脱と共に勘合が容易にできるよう相互間をネジ式として筐体９０の外部に着脱容易に設けた。
また、
【００５０】
濾過器タンク５０は、外部からタンクの中の様子が容易に目視確認できることが好ましく、本実施例においては清潔感も得られる透明な樹脂製のタンクを用いた。
【００５１】
塵埃吸入部２０と濾過器タンク５０と真空吸引排気部３０は一連の吸排気管４０Ａ，４０Ｅで直列に連結され、真空吸引排気部３０が吸引する空気は塵埃吸入部２０の吸引細管２１から塵埃と共に吸引された空気そのものであるよう、気密に結合した。
【００５２】
図面には描かれていないが、ＡＣアダプタ１００を電源装置とし、この出力コードに接続した例えばＤＣプラグを電力出力接栓として、例えば筐体９０の背面部分にＤＣジャックを受電用の接栓８３として設け、接栓８３と制御基板部を接続配線で接続して電力を制御基板部８０に供給した。
【００５３】
真空吸引排気部３０は筐体９０内に共に実装される制御基板部８０から与えられる電力で動作し、制御基板部８０は例えば筐体９０の前面位置に設けられた制御スイッチ８２から掃除具の使用者が操作する毎に真空吸引排気部３０に与える電力の電圧や継続時間を設
定できるようにした。また、吸引掃除具の使用者は吸引掃除中で補聴器を非装用の場合、掃除具の作動音が聞こえないために吸引掃除具の電源を切り忘れるので真空吸引排気部３０が一定時間後に自動的に動作を終了するよう制御基板機能に次元機能を持たせた。
【００５４】
本発明の水を濾過材とした湿式吸引掃除具１０の塵埃濾過原理は図５（Ｂ）に示す通り、吸引した塵埃を含む空気は矢印Ａの如く濾過器タンク部５０の延長管４１から濾過材の水６０Ａに放出され、水６０Ａ内を水疱になって水６０Ａに動的に接触しながら水面に浮上し、この過程で塵埃を水６０Ａに捕捉されて濾過器タンク部５０内の水６０Ａの上方の空間６０Ｂに吸い上げらる。この際に水泡が跳ね水を発生させ、吸排気管４０Ｅを介して真空吸引排気部３０に至る可能性があるが、濾過器タンク部５０内の水６０Ａの水位を相対的に低くして跳ね水が吸排気管４０Ｅに届きにくくして、跳ね水を図５（Ｂ）に示す矢印Ｆの如く水６０Ａに戻した。
また、吸引掃除後に濾過器タンク５０内の水６０Ａには塵埃が捕捉され水６０は汚れているので、その都度、または必要に応じて濾過器タンク部の着脱可能部部５１Ａを非着脱可能部５１Ｂから外して内部の塵埃が混ざった水６１Ａを洗面所などに捨て清潔で新しい水に交換すればよい。
【００５５】
ここで、
本発明の水を濾過材とした湿式吸引掃除具１０を使用するには、ＡＣアダプタの出力接栓を接栓８３に接続し、ＡＣアダプタを商用電源コンセントに差し込み、次に濾過材器タンク５０の着脱可能部分５０Ａを湿式吸引掃除具１０から一旦外し、水道水または井戸水のような所謂飲料水として用いるような一般水を着脱可能部分５０Ａに概ね３分の１ほど入れ、濾過器タンク部５１の非着脱可能部５０Ｂに機密性が損なわれない程度にねじ込んで装着し、前述の注入延長管４１の開放端が水中に充分浸る位置になるようにした後に制御スイッチ８２を装挿して真空吸引排気部３０を稼動状態とし、塵埃吸入部２０に装着された吸引細管３１の先端を塵埃吸引対象物の目標とする汚れ部分に接近させ、塵埃を吸入すればよく、跳ね水反射板７０は注入延長管４１に装着されているため、前記。濾過材器タンク５０の着脱可能部分５０Ａに濾過材として水を補充、廃棄、交換する際に跳ね水反射板７０を敢えて特別に扱う必要はない。
【符号の説明】
【００５６】
１０  水を濾過材とした湿式吸引掃除具
２０  塵埃吸入部
２１  塵埃吸入細管
３０  真空吸引排気部
３１  排気部の吸気口
３２  排気部の排気口
４０  吸排気管
４０Ａ  吸排気管小部分（吸入部  &#8722;  濾過器間）
４０Ｃ  吸排気管小部分（濾過材タンク  &#8722;  跳ね水タンク間）
４１  注入延長管
５０  濾過器タンク部
５０Ａ  濾過器タンク本体部（着脱可能側）
５０Ｂ  濾過器タンク蓋部（非着脱可能側）
５１  濾過材タンク
５１Ａ  濾過材タンク本体部（着脱可能側）
５１Ｂ  濾過材タンク蓋部（非着脱可能側）
５２  跳ね水阻止タンク
５２Ａ  跳ね水阻止タンク本体部（着脱可能側）
５２Ｂ  跳ね水阻止タンク蓋部（非着脱可能側）
６０Ａ  濾過材
６０Ｂ  滞留跳ね水阻止部・跳ね水阻止空間
７０  跳ね水反射板
８０  制御基板
８２  制御スイッチ
８３  受電接栓（ＤＣジャック）
９０  筐体
９１  庇部
１００  電源部（ＡＣアダプタ）
【図１】
2020168431.tif 000003
【図２】
2020168431.tif 000004
【図３】
2020168431.tif 000005
【図４】
2020168431.tif 000006
【図５】
2020168431.tif 000007
【図６】
2020168431.tif 000008
【図７】
2020168431.tif 000009